(57)【要約】【課題】壁厚の異なる複数種類の壁に形成された開口に容易に固定可能なドレン水用のドレン配管、およびこれを用いたドレン水の排水システムを提供する。【解決手段】エアコンの室内機から排出されるドレン水を流すためのドレン配管であって、円筒状の第１直管部と、該第１直管部に接続され、前記第１直管部に対して所定の傾斜角度で延びる第２直管部とを有し、前記第１直管部の外周面の少なくとも一部には雄ネジ部が形成され、前記第１直管部は、前記雄ネジ部に螺合する雌ネジ部が内周面に形成された環状の壁挟持体を複数備え、前記第１直管部に取り付けた複数の前記壁挟持体どうしの間で壁を挟持することを特徴とする。【選択図】図１
2020143881.tif 000002
【特許請求の範囲】
【請求項１】
エアコンの室内機から排出されるドレン水を流すためのドレン配管であって、
円筒状の第１直管部と、該第１直管部に接続され、前記第１直管部に対して所定の傾斜角度で延びる第２直管部とを有し、
前記第１直管部の外周面の少なくとも一部には雄ネジ部が形成され、
前記第１直管部は、前記雄ネジ部に螺合する雌ネジ部が内周面に形成された環状の壁挟持体を複数備え、
前記第１直管部に取り付けた複数の前記壁挟持体どうしの間で壁を挟持することを特徴とするドレン配管。
【請求項２】
前記壁挟持体は六角ナットであることを特徴とする請求項１に記載のドレン配管。
【請求項３】
前記第２直管部は、前記第１直管部に対して８５°以上、９５°以下の範囲の傾斜角度で延びるように形成されていることを特徴とする請求項１または２に記載のドレン配管。
【請求項４】
請求項１から３のいずれか一項に記載のドレン配管を用いたドレン水の排水システムであって、
ユニットバスと居室とを区画する室内壁に開口を形成し、該開口に前記第１直管部を貫通させ、前記第１直管部の端部が前記ユニットバスの下部に設けられた汚水パンに重なる位置になるように、複数の前記壁挟持体どうしの間隔を狭めて前記室内壁を挟持し、前記第２直管部の端部に前記エアコンの室内機のドレン水排水管を接続したことを特徴とするドレン水の排水システム。
【発明の詳細な説明】
【技術分野】
【０００１】
本発明は、エアコンの室内機から排出されるドレン水を導くドレン配管、およびこれを用いたドレン水の排水システムに関する。
【背景技術】
【０００２】
例えば、ホテルや集合住宅において、各部屋ごとに設置されたエアコンの室内機からは、冷房運転の際に室内の水蒸気が冷却によって凝縮されドレン水が生じる。従来、こうしたドレン水は、建物のベランダや廊下の排水溝などを介して雨水管に流している（例えば、特許文献１を参照）。
【０００３】
国内の市街地の多くは、比較的汚染度の低い雨水と、浴室や調理場などで生じた汚染度の高い汚水とを、それぞれ雨水管と汚水管を介して個別に集めて処理を行っている。上述したドレン水は、大気中から取込んだ粉塵やコンプレッサ内の潤滑油や金属粉などが混ざった不純物を含むことも多いため、近年は汚水として汚水管に流すことを求める自治体が増加している。
【０００４】
このため、既に建物のベランダなどからドレン水を雨水管に流す構造となっている既存のホテルや集合住宅などでは、ドレン水を汚水管に接続するための配管工事等を行う必要がある。
【先行技術文献】
【特許文献】
【０００５】
【特許文献１】特開平９−３１８０９５号公報
【発明の概要】
【発明が解決しようとする課題】
【０００６】
既存の建物の室内を改装してエアコンの室内機と浴室や台所の汚水管との間にドレン配管を設ける場合、室内壁にドレン配管を貫通させる開口を設けてドレン配管を固定する必要がある。しかしながら、室内壁は個々の建物や部屋ごとに厚みが異なり、互いに異なる壁厚に対応してドレン配管を固定するための固定具等が必要になり、施工に手間とコストが掛かるという課題があった。
【０００７】
そこで、円筒部の外周面から外方に突出する円板状のリブ、および円筒部の外周面にネジ山を一体で形成した、ドレン水の排水に適用可能な配管も知られている。このような配管は、ネジ山にナットを螺合させてリブとの間で壁などを挟持することによって、屋内のドレン用配管として用いることが検討された。
【０００８】
しかしながら、上述したリブが形成された配管は、全体が金属によって一体に形成され、リブの位置は固定されているので、配管の壁に対する取付位置が固定されてしまい、取付箇所の構造に応じて配管の取り付け位置を柔軟に調整することが困難である。
【０００９】
本発明は、このような事情を考慮してなされたものであり、ドレン水を汚水管に流すための配管工事を、簡易な工程で低コストに行うことが可能なドレン配管、及びこれを用いたドレン水の排水システムを提供することを目的とする。
【課題を解決するための手段】
【００１０】
上記課題を解決するために、この発明は以下の手段を提案している。
即ち、本発明のドレン配管は、エアコンの室内機から排出されるドレン水を流すためのドレン配管であって、円筒状の第１直管部と、該第１直管部に接続され、前記第１直管部に対して所定の傾斜角度で延びる第２直管部とを有し、前記第１直管部の外周面の少なくとも一部には雄ネジ部が形成され、前記第１直管部は、前記雄ネジ部に螺合する雌ネジ部が内周面に形成された環状の壁挟持体を複数備え、前記第１直管部に取り付けた複数の前記壁挟持体どうしの間で壁を挟持することを特徴とする。
【００１１】
また、本発明では、前記壁挟持体は六角ナットであってもよい。
【００１２】
また、本発明では、前記第２直管部は、前記第１直管部に対して８５°以上、９５°以下の範囲の傾斜角度で延びるように形成されていてもよい。
【００１３】
また、本発明のドレン水の排水システムは、  前記各項記載のドレン配管を用いたドレン水の排水システムであって、ユニットバスと居室とを区画する室内壁に開口を形成し、該開口に前記第１直管部を貫通させ、前記第１直管部の端部が前記ユニットバスの下部に設けられた汚水パンに重なる位置になるように、複数の前記壁挟持体どうしの間隔を狭めて前記室内壁を挟持し、前記第２直管部の端部に前記エアコンの室内機のドレン水排水管を接続したことを特徴とする。
【発明の効果】
【００１４】
本発明によれば、壁厚の異なる複数種類の壁に形成された開口に容易に固定可能なドレン水用のドレン配管、およびこれを用いたドレン水の排水システムを提供することができる。
【図面の簡単な説明】
【００１５】
【図１】本発明の第１実施形態であるドレン配管を示す外観平面図である。
【図２】本発明の第１実施形態であるドレン配管を示す断面図である。
【図３】第１実施形態のドレン配管を建物の室内壁に形成した開口に取り付けた状態を示す断面図である。
【図４】本発明の第２実施形態であるドレン配管を示す外観平面図である。
【図５】本発明の一実施形態であるドレン水の排水システムを示す概略構成図である。
【発明を実施するための形態】
【００１６】
以下、図面を参照して、本発明の一実施形態のドレン配管、およびドレン水の排水システムについて説明する。なお、以下に示す各実施形態は、発明の趣旨をより良く理解させるために具体的に説明するものであり、特に指定のない限り、本発明を限定するものではない。また、以下の説明で用いる図面は、本発明の特徴をわかりやすくするために、便宜上、要部となる部分を拡大して示している場合があり、各構成要素の寸法比率などが実際と同じであるとは限らない。
【００１７】
（ドレン配管：第１実施形態）
図１は、本発明の第１実施形態のドレン配管を示す外観平面図である。また、図２は、本発明の第１実施形態のドレン配管を示す断面図である。
本発明の第１実施形態のドレン配管１０は、エアコンの室内機から排出されるドレン水を流すための配管である。ドレン配管１０は、円筒状の第１直管部１１と、この第１直管部１１に接続され、第１直管部１１に対して所定の傾斜角度で延びる第２直管部１２とを有している。
【００１８】
第１直管部１１と第２直管部１２との間には、湾曲管部１３が形成され、本実施形態では、第１直管部１１と第２直管部１２とは、この湾曲管部１３によって互いに９０°の角度で傾斜するように延びている。
【００１９】
なお、第１直管部１１に対する第２直管部１２の傾斜角度は、本実施形態においては９０°にしているが、これに限定されるものでは無く、ドレン配管１０の設置環境に応じて任意の傾斜角度になるように形成することができる。例えば、第１直管部１１に対する第２直管部１２の傾斜角度を８５°以上、９５°以下の範囲にすることができる。
【００２０】
これら第１直管部１１、第２直管部１２および湾曲管部１３は、例えばポリエチレン、ポリカーボネート、ポリスチレン、ＡＢＳ樹脂、難燃性ＡＢＳ樹脂や塩化ビニル樹脂など各種の樹脂によって一体に形成されている。なお、これら各部を任意の領域ごとに別体で成形し、接合することによってドレン配管１０を構成することもできる。
【００２１】
例えば、本実施形態では、第１直管部１１や第２直管部１２の外径は３８ｍｍ〜４２ｍｍ程度、内径は２４ｍｍ〜３０ｍｍ程度になるように形成されている。また、湾曲管部１３の内径は第１直管部１１や第２直管部１２の内径より小さくなるように形成されている。こうしたドレン配管１０の各部の外径や内径は、設置環境やドレン水の流量などに応じて適宜選択されれば良く、限定されるものでは無い。また、湾曲管部１３の内径を第１直管部１１や第２直管部１２の内径と同一にすることもできる。
【００２２】
本実施形態では、第１直管部１１の外周面の一部に雄ネジ部１５が形成されている。雄ネジ部１５は、一様なピッチの雄ネジ山を第１直管部１１のうち、湾曲管部１３寄りから延長方向に沿って所定の長さ範囲で形成したものであり、本実施形態では、第１直管部１１の延長方向の長さの半分程度に形成されている。
【００２３】
第１直管部１１は、雄ネジ部１５に螺合する雌ネジ部１６が内周面に形成されたナット（壁挟持体）１７を複数、本実施形態では２個備えている。ナット（壁挟持体）１７は、雄ネジ部１５と雌ネジ部１６との螺合によって、第１直管部１１の延長方向の任意の位置に係止させることができる。本実施形態では、ナット（壁挟持体）１７は、断面外周面が六角形を成す六角ナットから構成されている。
【００２４】
なお、壁挟持体は、本実施形態のように六角ナット以外にも、内周面に雌ネジ部１６を備えた環状部材であればどのようなものであっても良く、例えば、リング状部材、四角ナットなどを用いることもできる。また、壁挟持体は、本実施形態のように２個のナット（壁挟持体）１７を第１直管部１１に係合させる以外にも、３個以上の壁挟持体を第１直管部１１に係合させることもできる。
【００２５】
本実施形態では、第１直管部１１のうち、雄ネジ部１５が形成されている領域よりも端部１１ａ側には、接続部１８が形成されている。この接続部１８は、第１直管部１１のうち雄ネジ山を形成しない領域であり、雄ネジ部１５よりも外径が小さくなるように形成されている。こうした接続部１８には、他の配管、例えば接続配管２５を接続することができる。
【００２６】
図３は、本実施形態のドレン配管を建物の室内壁に形成した開口に取り付けた状態を示す断面図である。
本実施形態のドレン配管１０を、例えば建物の室内壁２０を貫通するように取り付ける際には、室内壁２０に形成した開口２１にドレン配管１０の第１直管部１１を貫通させる。この時、第１直管部１１の雄ネジ部１５に、一方のナット１７Ａを螺合させておく。一方のナット１７Ａの取付位置は、例えば、第２直管部１２と室内壁２０の一面２０ａとの離間距離に応じて決定すればよい。
【００２７】
そして、一方のナット１７Ａを、開口２１付近の室内壁２０の一面２０ａに当接させた状態で、他方のナット１７Ｂを第１直管部１１の端部１１ａから挿入し、他方のナット１７Ｂが開口２１付近の室内壁２０の他面２０ｂに当接する位置まで雄ネジ部１５に螺合させる。そして、一方のナット１７Ａと他方のナット１７Ｂとの間で室内壁２０を挟持するように、一方のナット１７Ａと他方のナット１７Ｂとを締め付ける。
【００２８】
以上のように、本実施形態のドレン配管１０によれば、室内壁２０に形成した開口２１にドレン配管１０の第１直管部１１を貫通させて、２つのナット（壁挟持体）１７の間で室内壁２０を挟持するように締め付けるだけで、様々な壁厚の室内壁２０に対応してドレン配管１０を容易に固定することができる。また、第１直管部１１の外周面に形成した雄ネジ部１５と、複数のナット（壁挟持体）１７だけでドレン配管１０を室内壁２０に固定することができるので、特別な係止金具などを用いずに、低コストで容易にドレン配管１０を室内壁２０の開口２１に固定することができる。
【００２９】
また、複数のナット（壁挟持体）１７は、雄ネジ部１５の形成領域の範囲内で、第１直管部１１の延長方向の任意の位置で壁を挟持することができるので、第２直管部１２と室内壁２０の一面２０ａとの離間距離を任意に設定することができる。これにより、従来知られている、円筒部にリブが一体に設けられて取付位置が変えられない配管などと比べて、設置場所の室内壁２０の位置に応じて、ドレン配管１０の室内壁２０に対する取付位置を柔軟に調節することができる。
【００３０】
同様に、複数のナット（壁挟持体）１７は、雄ネジ部１５の形成領域の範囲内で、第１直管部１１の延長方向の任意の位置で壁を挟持することができるので、第１直管部１１の端部１１ａ、即ちドレン水の排出位置を、第１直管部１１の全長の範囲内で、室内壁２０の他面２０ｂから任意の位置に設定することができる。これにより、例えば、後述するドレン水の排水システムにおいて、ユニットバスの汚水パンと第１直管部１１の端部１１ａとの位置が重なるよう、容易に固定することができる。
【００３１】
また、本実施形態のように、ドレン配管１０の第１直管部１１に、雄ネジ山を形成しない接続部１８を形成することによって、ドレン配管１０の一端側を更に別な配管等に容易に接続させることができる。
【００３２】
また、本実施形態のドレン配管１０を、全体を例えば難燃性ＡＢＳ樹脂や塩化ビニル樹脂などによって一体に形成すれば、従来知られている、全体が砲金（Ｃｕ−Ｓｎ合金）で形成され、円筒部にリブが一体に設けられている配管と比較して、軽量で取扱いが容易であり、かつ低コストなドレン配管を実現できる。
【００３３】
（ドレン配管：第２実施形態）
図４は、本発明の第２実施形態のドレン配管を示す外観平面図である。
なお、上述した第１実施形態のドレン配管と同様の構成には同一の符号を付し、重複する説明を省略する。
本発明の第２実施形態のドレン配管３０は、円筒状の第１直管部３１と、この第１直管部３１に接続され、第１直管部３１に対して所定の傾斜角度で延びる第２直管部３２とを有している。また、第１直管部３１と第２直管部３２との間には、湾曲管部３３が形成され、本実施形態では、第１直管部３１と第２直管部３２とは、この湾曲管部３３によって互いに９０°の角度で傾斜するように延びている。
【００３４】
本実施形態では、第１直管部３１の延長方向に沿った外周面の全体に雄ネジ部３５が形成されている。雄ネジ部３５は、一様なピッチの雄ネジ山を第１直管部３１の湾曲管部１３寄りから延長方向の全長に渡って形成したものである。
【００３５】
ドレン配管３０によれば、第１直管部３１の延長方向にの全体に渡って雄ネジ部３５が形成されているので、複数のナット（壁挟持体）１７，１７による壁を挟持することができる範囲を広げることができる。
【００３６】
（ドレン水の排水システム）
図４は、第１実施形態のドレン配管を用いた、本発明の一実施形態であるドレン水の排水システムを示す概略構成図である。
本実施形態のドレン水の排水システム１００は、例えばホテルの客室内に設置されたエアコンの室内機で生じたドレン水を、ユニットバスの下部に配置された汚水パンに流すことができるシステムを例示している。
【００３７】
このドレン水の排水システム１００では、ユニットバスＵＢと、居室ＲＭに隣接するパイプスペースＰＳとを区画する室内壁２０に開口２１を形成し、この開口２１にドレン配管１０を固定している。
【００３８】
ドレン配管１０は、第１直管部１１が開口２１に貫通し、２個のナット（壁挟持体）１７どうしの間隔を狭めて室内壁２０を挟持することで、室内壁２０の開口２１に固定される。ドレン配管１０の第１直管部１１の接続部１８（図１参照）には、接続配管としてＬ字型の接手（接続配管）２５が接続され、この接手２５を介して、ドレン配管１０の第１直管部１１は、汚水パンＷＢと共に汚水管に接続されている。
【００３９】
また、第１直管部１１に対して例えば９０°屈曲した方向に延びる第２直管部１２は、その端部１２ａにエアコンの室内機ＥＭで生じたドレン水を排出するドレン水排水管２３が接続されている。
【００４０】
このような構成の本実施形態のドレン水の排水システム１００によれば、エアコンの室内機ＥＭのドレン水がベランダなどの排水溝を介して雨水管に流される構造の既存のホテルや集合住宅に対して、例えばユニットバスＵＢに隣接する室内壁２０に開口２１を形成して、ドレン配管１０を２個のナット（壁挟持体）１７によって室内壁２０を挟持するように固定し、エアコンの室内機ＥＭのドレン水排水管２３をドレン配管１０に接続するだけで、低コストで容易にドレン水を汚水管に流すことができる。
【００４１】
また、例えばユニットバスＵＢの設置側からドレン配管１０を開口２１に差し込んでドレン水の排水システム１００を施工する場合、円筒部にリブが一体に設けられている従来の配管では、この円筒部よりも相当に大きいリブが通過可能なサイズの開口を室内壁に形成する必要があるが、本実施形態のドレン配管１０では、開口２１の直径に合わせてナット（壁挟持体）１７を選択することにより、より小さな直径の開口２１に対しても、ドレン配管１０を設けることができる。
【００４２】
なお、接続配管としてＬ字型の接手（接続配管）２５を特に設けずに、ドレン配管１０２第１直管部１１の端部１１ａが、ユニットバスＵＢの下部に配置された汚水パンＷＢに重なる位置になるように固定することもできる。こうした接続形態では、ドレン配管１０の固定時には、第１直管部１１の端部１１ａが汚水パンＷＢに重なる位置にするだけで良いので、接手２５を介して接続するような場合と比較して、精密な寸法合わせなどが不要であり、容易に施工することができる。
【００４３】
以上、本発明のいくつかの実施形態を説明したが、これらの実施形態は、例として提示したものであり、発明の範囲を限定することは意図していない。これら実施形態は、その他の様々な形態で実施されることが可能であり、発明の要旨を逸脱しない範囲で、種々の省略、置き換え、変更を行うことができる。これら実施形態やその変形は、発明の範囲や要旨に含まれると同様に、特許請求の範囲に記載された発明とその均等の範囲に含まれるものである。
【００４４】
例えば、ドレン配管１０の第１直管部１１の端部１１ａを、洗濯水を流す洗濯パンや、汚水を流すシンクなどにドレン配管１０の第１直管部１１の端部１１ａが重なるようにドレン配管１０を固定してもよく、また、第１直管部１１の端部１１ａを、フレキシブル管等を用いて、ユニットバスＵＢの下方に設けられるトラップや集水ヘッダー等に繋ぎこむこともでき、これらの構成により、ドレン水が汚水管に排出されるのであれば、その接続先が限定されるものでは無い。
【符号の説明】
【００４５】
１０…ドレン配管
１１…第１直管部
１２…第２直管部
１３…湾曲管部
１５…雄ネジ部
１６…雌ネジ部
１７…ナット（壁挟持体）
【図１】
2020143881.tif 000003
【図２】
2020143881.tif 000004
【図３】
2020143881.tif 000005
【図４】
2020143881.tif 000006
【図５】
2020143881.tif 000007